(57)【要約】  呼管理方法及びこれを用いた端末装置、呼状態を用いた端末制御方法及び装置を提供する。呼管理方法は、第１通話アプリケーションを通じて第１の呼の接続がリクエストされた時に第１の呼に対する第１状態変更情報が生成され、第１通話アプリケーションを通じて予め設定された第１の呼が接続された状態で第２通話アプリケーションを通じて新たな第２の呼の接続がリクエストされた時に第２の呼に対する第２状態変更情報が生成され、第１及び第２状態変更情報を用いて生成された案内情報が表示された後、案内情報に対する選択情報の入力が受信され、第１通話アプリケーション及び第２通話アプリケーションのうちの少なくとも１つはパケット交換（ＰＳ）呼をサービスする通話アプリケーションである。【選択図】図１
2015517268.tif 000002
【特許請求の範囲】
【請求項１】
端末装置の制御部により、第１通話アプリケーションを通じて第１の呼の接続がリクエストされた時に前記第１の呼に対する第１状態変更情報を生成する段階と、
前記制御部により、前記第１通話アプリケーションを通じて予め設定された前記第１の呼が前記端末装置に接続された状態で第２通話アプリケーションを通じて新たな第２の呼の接続がリクエストされた時に前記第２の呼に対する第２状態変更情報を生成する段階と、
表示部により、前記第１状態変更情報及び前記第２状態変更情報を用いて生成された案内情報を表示する段階と、
入力部により、前記案内情報に対する選択情報の入力を受信する段階と、
前記制御部により、前記受信された選択情報に基づいて前記第１の呼の接続及び前記第２の呼の接続を制御する段階と、を有し、
前記第１通話アプリケーション及び前記第２通話アプリケーションのうちの少なくとも１つはパケット交換（ＰＳ）呼をサービスすることを特徴とする呼管理方法。
【請求項２】
前記第１状態変更情報及び前記第２状態変更情報の各々は、前記第１通話アプリケーション又は前記第２通話アプリケーションのそれぞれの識別情報、前記第１通話アプリケーション及び前記第２通話アプリケーションのそれぞれの表示活性化状態情報、呼タイプ情報、呼状態情報、及び相手端末装置の識別情報のうちの少なくとも１つをそれぞれ含むことを特徴とする請求項１に記載の呼管理方法。
【請求項３】
前記選択情報の入力を受信する段階は、前記案内情報に応じて、ソフトボタン、音声、アクション、又はジェスチャー（ｇｅｓｔｕｒｅ）のうちの少なくとも１つの出力を検出する段階を含むことを特徴とする請求項１に記載の呼管理方法。
【請求項４】
前記第２状態変更情報が生成された後、前記第１通話アプリケーションに前記第２状態変更情報を伝達する段階を更に含み、
前記接続を制御する段階は、
前記選択情報を用いて呼制御コマンドを生成する段階と、
前記呼制御コマンドを前記第１及び第２通話アプリケーションの両方に伝達する段階と、を含むことを特徴とする請求項１に記載の呼管理方法。
【請求項５】
２以上の通話アプリケーションを有し、前記第２状態変更情報が前記第１通話アプリケーションを含む少なくとも１つの通話アプリケーションに伝達され、前記呼制御コマンドが少なくとも２つの通話アプリケーションに伝達されることを特徴とする請求項４に記載の呼管理方法。
【請求項６】
前記第２状態変更情報が生成された後、前記第１通話アプリケーションを含む少なくとも１つの通話アプリケーションに前記第２状態変更情報を伝達する段階を更に含み、
前記接続を制御する段階は、
前記第１アプリケーションが前記選択情報に従って前記第１の呼の接続を制御する段階と、
前記第１アプリケーションが制御結果を反映して前記第１状態変更情報を更新する段階と、
前記第２通話アプリケーションを含む少なくとも１つの通話アプリケーションに前記更新された第１状態変更情報を伝達する段階と、を含むことを特徴とする請求項１に記載の呼管理方法。
【請求項７】
前記第２状態変更情報が伝達される時に前記第１通話アプリケーションが表示非活性化状態である場合、前記第１通話アプリケーションを表示活性化状態に切替える段階を更に含むことを特徴とする請求項４に記載の呼管理方法。
【請求項８】
前記接続を制御する段階は、
前記選択情報が前記第２の呼に対する拒絶を示す場合、前記第２の呼を終了して前記第１の呼の接続を維持する段階と、
前記選択情報が前記第２の呼に対する受諾を示す場合、前記第２の呼を接続して前記第１の呼を保留又は終了する段階と、を含むことを特徴とする請求項１に記載の呼管理方法。
【請求項９】
前記選択情報が前記第２の呼に対する拒絶を示す場合、前記第２の呼をボイスメール又は予め設定された電話番号に転送する段階を含むことを特徴とする請求項８に記載の呼管理方法。
【請求項１０】
第１通話アプリケーションを通じて第１の呼の接続がリクエストされた時に前記第１の呼に対する第１状態変更情報を生成し、前記第１通話アプリケーションを通じて予め設定された前記第１の呼が接続された状態で第２通話アプリケーションを通じて新たな第２の呼の接続がリクエストされた時に前記第２の呼に対する第２状態変更情報を生成する制御部と、
前記第１状態変更情報及び第前記２状態変更情報を用いて生成された案内情報を表示する表示部と、
前記案内情報に対する選択情報の入力を受信する入力部と、を備え、
前記制御部は、前記受信された選択情報に基づいて前記第１の呼の接続及び前記第２の呼の接続を制御し、
前記第１通話アプリケーション及び前記第２通話アプリケーションのうちの少なくとも１つはパケット交換（ＰＳ）呼をサービスすることを特徴とする端末装置。
【請求項１１】
前記第１状態変更情報及び前記第２状態変更情報の各々は、前記第１通話アプリケーション又は前記第２通話アプリケーションのそれぞれの識別情報、前記第１通話アプリケーション及び前記第２通話アプリケーションのそれぞれの表示活性化状態情報、呼タイプ情報、呼状態情報、及び相手端末装置の識別情報のうちの少なくとも１つをそれぞれ含むことを特徴とする請求項１０に記載の端末装置。
【請求項１２】
前記制御部は、
第１の呼の接続がリクエストされた時に前記第１の呼に対する第１状態変更情報を生成して前記第１の呼の接続を維持する第１通話アプリケーションと、
前記第２の呼の接続がリクエストされた時に前記第２の呼に対する第２状態変更情報を生成する第２通話アプリケーションと、
前記第１通話アプリケーションから前記第１状態変更情報を受信し、前記第２通話アプリケーションから前記第２状態変更情報を受信して前記第１通話アプリケーションを含む少なくとも１つの通話アプリケーションに前記第２状態変更情報を伝達する呼管理部と、を含み、
前記呼管理部は、前記選択情報を用いて呼制御コマンドを生成し、前記呼制御コマンドを前記第１通話アプリケーション及び第２通話アプリケーションの両方に伝達することを特徴とする請求項１０に記載の端末装置。
【請求項１３】
前記制御部は、
第１の呼の接続がリクエストされた時に前記第１の呼に対する第１状態変更情報を生成して前記第１の呼の接続を維持する第１通話アプリケーションと、
前記第２の呼の接続がリクエストされた時に前記第２の呼に対する第２状態変更情報を生成する第２通話アプリケーションと、
前記第１通話アプリケーションから前記第１状態変更情報を受信し、前記第２通話アプリケーションから前記第２状態変更情報を受信して前記第１通話アプリケーションを含む少なくとも１つの通話アプリケーションに前記第２状態変更情報を伝達する呼管理部と、を含み、
前記第１通話アプリケーションは、前記選択情報に従って前記第１の呼の接続を制御し、制御結果を反映して前記第１状態変更情報を更新し、前記更新された第１状態変更情報を前記呼管理部に伝達し、
前記呼管理部は、前記更新された第１状態変更情報を受信して前記第２通話アプリケーションを含む少なくとも１つの通話アプリケーションに前記更新された第１状態変更情報を伝達することを特徴とする請求項１０に記載の端末装置。
【請求項１４】
前記呼管理部は、前記第２状態変更情報が伝達される時に前記第１通話アプリケーションが表示非活性化状態である場合、前記第１通話アプリケーションを表示活性化状態に切替える段階を更に含むことを特徴とする請求項１２に記載の端末装置。
【請求項１５】
前記制御部は、
前記選択情報が前記第２の呼に対する拒絶を示す場合、前記第２の呼を終了して前記第１の呼の接続を維持し、
前記選択情報が前記第２の呼に対する受諾を示す場合、前記第２の呼を接続して前記第１の呼を保留又は終了することを特徴とする請求項１０に記載の端末装置。
【請求項１６】
入力部により、端末装置又は前記端末装置の周辺装置を制御するための制御信号の入力を受信する段階と、
制御部により、呼状態が変更された時に状態変更情報を生成する段階と、
制御部により、前記状態変更情報を用いて前記制御信号を通話モード信号に変換し、前記制御信号又は前記通話モード信号を用いて前記端末装置又は前記周辺装置を制御する段階と、を有することを特徴とする呼状態を用いた端末制御方法。
【請求項１７】
前記制御段階は、
前記制御部により、前記状態変更情報を分析する段階と、
前記分析の結果、前記端末装置が通話実行状態である場合、前記制御信号を通話モード信号に変換して前記通話モード信号を用いて前記端末装置及び前記周辺装置を制御する段階と、
前記分析の結果、前記端末装置が待機状態である場合、前記制御信号を用いて前記端末装置及び前記周辺装置を制御する段階と、を含むことを特徴とする請求項１６に記載の呼状態を用いた端末制御方法。
【請求項１８】
前記状態変更情報は、通話アプリケーションの識別情報、前記通話アプリケーションの表示活性化状態情報、呼タイプ情報、呼状態情報、及び相手端末装置の識別情報のうちの少なくとも１つを含むことを特徴とする請求項１６に記載の呼状態を用いた端末制御方法。
【請求項１９】
端末装置又は前記端末装置の周辺装置を制御するための制御信号の入力を受信する入力部と、
呼状態が変更された時に状態変更情報を生成し、前記状態変更情報を用いて前記制御信号を通話モード信号に変換し、前記制御信号又は前記通話モード信号を用いて前記端末装置又は前記周辺装置を制御する制御部と、を備えることを特徴とする呼状態を用いた端末制御装置。
【請求項２０】
前記制御部は、
前記呼状態が変更された時に前記状態変更情報を生成する少なくとも１つの通話アプリケーションと、
前記通話アプリケーションから受信した状態変更情報を分析する呼管理部と、
前記分析の結果、前記端末装置が通話実行状態である場合、前記制御信号を通話モード信号に変換して前記通話モード信号を用いて前記端末装置及び前記周辺装置を制御し、前記分析の結果、前記端末装置が待機状態である場合、前記制御信号を用いて前記端末装置及び前記周辺装置を制御する変換制御部と、を含むことを特徴とする請求項１９に記載の呼状態を用いた端末制御装置。
【請求項２１】
前記状態変更情報は、通話アプリケーションの識別情報、前記通話アプリケーションの表示活性化状態情報、呼タイプ情報、呼状態情報、及び相手端末装置の識別情報のうちの少なくとも１つを含むことを特徴とする請求項１９に記載の呼状態を用いた端末制御装置。
【発明の詳細な説明】
【技術分野】
【０００１】
本発明は、呼管理方法及びこれを用いた端末装置に関し、より詳しくは、回線交換（Ｃｉｒｃｕｉｔ  Ｓｗｉｔｃｈｅｄ：ＣＳ）呼とパケット交換（Ｐａｃｋｅｔ  Ｓｗｉｔｃｈｅｄ：ＰＳ）呼とを統合的に管理する方法及びこれを用いた端末装置に関する。
【背景技術】
【０００２】
近年、急激な速度でその活用が増加しているスマートフォンのような端末装置は、ＧＳＭ（登録商標）、ＵＭＴＳ、ＬＴＥ（登録商標）のような３Ｇ又は４Ｇを用いたＣＳ（Ｃｉｒｃｕｉｔ  Ｓｗｉｔｃｈｅｄ）音声及びＰＳ（Ｐａｃｋｅｔ  Ｓｗｉｔｃｈｅｄ）データの送受信だけではなく、ＩＥＥＥ８０２．１１で代表されるＷｉ−Ｆｉ（登録商標）などのようなＷＬＡＮ（Ｗｉｒｅｌｅｓｓ  Ｌｏｃａｌ  Ａｒｅａ  Ｎｅｔｗｏｒｋ）技術に基づくＩＰサービスなどを提供する。従って、端末装置はＣＳに基づく通話サービスだけではなく、端末装置に搭載された複数のＶｏＩＰ（Ｖｏｉｃｅ  ｏｖｅｒ  ＩＰ）通話アプリケーションを用いて３ＧＰＳ若しくはＷＬＡＮのようなＩＰに基づく通話サービスを提供する。
【０００３】
このように技術基盤が拡大されるのに伴い、呼を接続する通話アプリケーションの種類も多様になる趨勢である。しかし、現在製造されている端末装置は通話アプリケーションを統合的に管理するモジュールを有していない。従って、互いに異なる通話アプリケーションを通じてリクエストされたパケット交換（ＰＳ）呼が衝突する場合、ユーザの選択に関係なく一方の接続が切れたり、同時に異なる呼が進行されたりするなどの問題が発生する。
【０００４】
一方、スマートフォンのような端末装置は、携帯電話の機能だけではなく、ＭＰ３プレーヤー、ＭＰ４（Ｖｉｄｅｏ）プレーヤー、及び音声録音機のようなマルチメディアプレーヤー／録音機機能を含む複合端末装置の機能を提供する。そして、多様な機能を制御するために多くの種類の周辺装置（ｐｅｒｉｐｈｅｒａｌ  ｕｎｉｔｓ）が用いられる。
【０００５】
しかし、このような周辺装置も、各種通話アプリケーションを通じて行われる呼接続状態を認知することができないものが一般的である。例えば、ユーザが呼接続状態でイヤホンに具備されたマルチメディアプレーヤーの再生ボタンをクリックすると、通話中にもかかわらず音楽が再生される場合がある。
【０００６】
このように、端末装置が多様な通話アプリケーションの情報を統合的に管理する装置を備えていない場合、呼接続状態で他の呼を受信する時に複数の呼に対するユーザ統制が不可能であり、周辺装置も呼のシナリオと一致しない動作を行う問題がある。
【０００７】
従って、多様な通話アプリケーションを通じた呼の接続及び制御を円滑にするために、それぞれの通話アプリケーションを通じて接続される呼に関する情報を共有及び管理することができる装置及び方法が求められる。
【発明の概要】
【発明が解決しようとする課題】
【０００８】
本発明は、上記従来の問題点に鑑みてなされたものであって、本発明の目的は、パケット交換呼を含む２以上の呼が衝突する場合、ユーザが望むシナリオを満足させる呼管理方法及びこれを用いた端末装置を提供することにある。
また、本発明の目的は、互いに異なる通話アプリケーションの間で呼の状態変更情報を共有する呼管理方法及びこれを用いた端末装置を提供することにある。
また、本発明の目的は、呼状態の変化に応じて、端末装置又は周辺装置を制御するために呼状態を用いた端末制御方法及び装置を提供することにある。
【課題を解決するための手段】
【０００９】
上記目的を達成するためになされた本発明の一態様による呼管理方法は、端末装置の制御部により、第１通話アプリケーションを通じて第１の呼の接続がリクエストされた時に前記第１の呼に対する第１状態変更情報を生成する段階と、前記制御部により、前記第１通話アプリケーションを通じて予め設定された前記第１の呼が前記端末装置に接続された状態で第２通話アプリケーションを通じて新たな第２の呼の接続がリクエストされた時に前記第２の呼に対する第２状態変更情報を生成する段階と、表示部により、前記第１状態変更情報及び前記第２状態変更情報を用いて生成された案内情報を表示する段階と、入力部により、前記案内情報に対する選択情報の入力を受信する段階と、前記制御部により、前記受信された選択情報に基づいて前記第１の呼の接続及び前記第２の呼の接続を制御する段階と、を有し、前記第１通話アプリケーション及び前記第２通話アプリケーションのうちの少なくとも１つはパケット交換（ＰＳ）呼をサービスすることを特徴とする。
【００１０】
上記目的を達成するためになされた本発明の一態様による端末装置は、第１通話アプリケーションを通じて第１の呼の接続がリクエストされた時に前記第１の呼に対する第１状態変更情報を生成し、前記第１通話アプリケーションを通じて予め設定された前記第１の呼が接続された状態で第２通話アプリケーションを通じて新たな第２の呼の接続がリクエストされた時に前記第２の呼に対する第２状態変更情報を生成する制御部と、前記第１状態変更情報及び前記第２状態変更情報を用いて生成された案内情報を表示する表示部と、前記案内情報に対する選択情報の入力を受信する入力部と、を備え、前記制御部は、前記受信された選択情報に基づいて前記第１の呼の接続及び前記第２の呼の接続を制御し、前記第１通話アプリケーション及び前記第２通話アプリケーションのうちの少なくとも１つはパケット交換（ＰＳ）呼をサービスすることを特徴とする。
【００１１】
上記目的を達成するためになされた本発明の一態様による呼状態を用いた端末制御方法は、入力部により、端末装置又は前記端末装置の周辺装置を制御するための制御信号の入力を受信する段階と、制御部により、呼状態が変更された時に状態変更情報を生成する段階と、制御部により、前記状態変更情報を用いて前記制御信号を通話モード信号に変換し、前記制御信号又は前記通話モード信号を用いて前記端末装置又は前記周辺装置を制御する段階と、を含むことを特徴とする。
【００１２】
上記目的を達成するためになされた本発明の一態様による呼状態を用いた端末制御装置は、端末装置又は前記端末装置の周辺装置を制御するための制御信号の入力を受信する入力部と、呼状態が変更された時に状態変更情報を生成し、前記状態変更情報を用いて前記制御信号を通話モード信号に変換し、前記制御信号又は前記通話モード信号を用いて前記端末装置又は前記周辺装置を制御する制御部と、を備えることを特徴とする。
【発明の効果】
【００１３】
本発明によれば、パケット交換呼を含む２以上の呼が衝突する場合にも、ユーザが望むシナリオを満足させることができ、互いに異なる通話アプリケーションの間で呼状態情報を共有することができる。
また、本発明によれば、呼状態の変化に応じて端末装置又は周辺装置を制御することができる。
【００１４】
本発明の特徴は、上述した特徴に制限されず、言及しない本発明の他の特徴は、以下で説明する本発明の実施形態によって、より明確に理解される。
【図面の簡単な説明】
【００１５】
【図１】本発明の一実施形態による端末装置を説明するためのブロック図である。
【図２】本発明の一実施形態による端末装置に含まれる制御部をより詳しく説明するためのブロック図である。
【図３】本発明の一実施形態による呼管理方法を説明するためのフローチャートである。
【図４】本発明の一実施形態による呼管理方法をより詳しく説明するためのフローチャートである。
【図５】本発明の他の実施形態による呼管理方法をより詳しく説明するためのフローチャートである。
【図６】本発明の一実施形態による端末制御装置を説明するためのブロック図である。
【図７】本発明の一実施形態による端末装置に含まれる制御部をより詳しく説明するためのブロック図である。
【図８】本発明の一実施形態による端末制御方法を説明するためのフローチャートである。
【発明を実施するための形態】
【００１６】
以下、本発明を実施するための形態の具体例を、図面を参照しながら詳細に説明する。これによって本発明が属する技術分野で通常の知識を有する者が本発明の技術的思想を容易に実施し得る。以下の説明において、本発明による公知技術に対する具体的な説明が本発明の要旨を不明瞭にすると判断される場合は詳細な説明を省略する。図面において、同じ参照符号は同一又は類似の構成要素を示すために使用する。
【００１７】
以下、図１及び図２を参照して本発明の一実施形態による端末装置を説明する。
【００１８】
図１は、本発明の一実施形態による端末装置を説明するためのブロック図であり、図２は、本発明の一実施形態による端末装置に含まれる制御部をより詳しく説明するためのブロック図である。
【００１９】
図１を参照すると、本発明の一実施形態による端末装置１００は、制御部１３０、入力部１５０、及び表示部１７０を含み、通信部１９０を更に含む。
【００２０】
制御部１３０は、第１通話アプリケーションを通じて第１の呼の接続がリクエストされると、これに対する第１状態変更情報を生成する。また、第１通話アプリケーションを通じて予め設定された第１の呼が接続された状態で、第２通話アプリケーションを通じて新たな第２の呼の接続がリクエストされた時、これに対する第２状態変更情報を生成する。
表示部１７０は、第１及び第２状態変更情報を用いて生成された案内情報を表示し、入力部１５０は、案内情報に対する選択情報の入力を受信する。
制御部１３０は、入力部１５０から選択情報を受信し、受信した選択情報に基づいて予め設定された呼の接続及び新たな呼の接続を制御する。ここで、第１通話アプリケーション及び第２通話アプリケーションのうちの少なくとも１つはパケット交換（ＰＳ）呼をサービスする通話アプリケーションである。
【００２１】
以下で、各モジュールの動作をより詳しく説明する。
【００２２】
第１通話アプリケーションを通じて呼接続がリクエストされると、制御部１３０は、第１状態変更情報を生成する。第１通話アプリケーションを通じて予め設定された呼が接続された状態で、第２通話アプリケーションを通じて新たな呼接続がリクエストされた時、制御部１３０は、第２状態変更情報を生成する。
【００２３】
本実施形態で、呼接続がリクエストされる場合は、相手端末装置から呼リクエストを受信する場合及び端末装置１００から相手端末装置に呼リクエストを発信する場合を含む。
【００２４】
状態変更情報は、通話アプリケーションに新たな呼の接続がリクエストされる場合、又は通話アプリケーション自身の状態が変更される場合のような、通話アプリケーションを通じて生成される全ての情報を含む。例えば、状態変更情報は、呼を接続するための通話アプリケーションの識別情報、通話アプリケーションの表示活性化状態情報、呼タイプ情報、呼状態情報、及び相手端末装置の識別情報のうちの少なくとも１つを含む。また、状態変更情報は、選択情報の入力のための案内情報を更に含む。
【００２５】
より具体的に状態変更情報に含まれる内容を説明すると次の通りである。
【００２６】
通話アプリケーションの識別情報は、呼を接続する通話アプリケーションを識別可能にする特定情報を意味し、通話アプリケーションのＩＤ又は通話アプリケーションの名前である。
通話アプリケーションの表示活性化状態情報は、通話アプリケーションがユーザ操作可能な表示活性化状態なのか又はユーザ操作が不可能な表示非活性化状態なのかを示す特定情報を意味する。
【００２７】
例えば、端末装置に特定の通話アプリケーションが画面に表示されない状態（ｂａｃｋｇｒｏｕｎｄ）で動作している場合、通話アプリケーションは表示非活性化状態にあると見なされ、通話アプリケーションが画面に表示された状態（ｆｏｒｅｇｒｏｕｎｄ）で動作している場合、通話アプリケーションはユーザが別途の画面切替え無しに操作可能な表示活性化状態であると見なされる。
【００２８】
呼タイプ情報は、リクエストされる呼の種類を示す特定情報を意味する。例えば、呼タイプ情報は、呼が音声呼なのか又は映像呼なのかに関する情報を含む。
呼状態情報は、呼の接続状態に関する特定情報を意味する。例えば、任意の通話アプリケーションを通じて接続される呼の状態は、待機（ｉｄｌｅ）状態、着信（ｉｎｃｏｍｉｎｇ）呼リクエスト状態、発信（ｏｕｔｇｏｉｎｇ）呼リクエスト状態、呼接続（ｃｏｍｍｕｎｉｃａｔｉｎｇ）状態、呼保留（ｈｏｌｄｉｎｇ）状態である。
【００２９】
相手端末装置の識別情報は、相手端末装置の識別を可能にする全ての情報を含む。例えば、相手端末装置の識別情報は、相手端末装置の電話番号若しくは他のユニークな番号、相手端末装置のユーザ名、写真、又はＩＤなどの情報である。制御部１３０は、端末装置１００の電話帳に予め保存された情報を用いるか、又は相手端末装置から受信した情報を用いて相手端末装置の識別情報を生成する。
【００３０】
図２を参照すると、制御部１３０は、第１通話アプリケーション１３１、第２通話アプリケーション１３３、及び呼管理部１３７を含む。
【００３１】
１つ以上の通話アプリケーション（１３１、１３３、１３５）を通じて接続される呼を管理するため、呼管理部１３７は、各通話アプリケーション（１３１、１３３、１３５）を呼管理部１３７に登録する。任意の通話アプリケーションが端末装置にインストールされると、インストールされた通話アプリケーションを呼管理部１３７が自動的に認識して登録する。或は、ユーザによって選択された通話アプリケーションのみを呼管理部１３７に手動で登録する。本実施形態では第１及び第２通話アプリケーションを含む全ての通話アプリケーションが呼管理部１３７に登録されていることを前提とする。
【００３２】
第１通話アプリケーション１３１を通じて呼接続がリクエストされると、第１通話アプリケーション１３１はこれに対する第１状態変更情報を生成する。第１通話アプリケーション１３１を通じて呼接続がリクエストされた後、ユーザ入力によって呼が接続されて維持されるためには、以下に説明する案内情報の表示及び選択情報の入力の過程を経る。但し、本実施形態では第１通話アプリケーションを通じて予め設定された呼が接続された状態を前提とし、接続がリクエストされた呼の接続を設定して接続を維持する過程に関する詳しい説明を省略する。
【００３３】
第１通話アプリケーション１３１を通じて予め設定された呼が接続された状態で、第２通話アプリケーション１３３を通じて新たな呼の接続がリクエストされると、第２通話アプリケーション１３３は新たな呼に関する第２状態変更情報を生成する。
【００３４】
例えば、第１通話アプリケーション１３１を通じて発信者Ａと音声呼（通話）中に、第２通話アプリケーション１３３を通じて発信者Ｂから映像呼（通話）に対するリクエストを受信すると、第２通話アプリケーション１３３は、呼状態が待機（ｉｄｌｅ）状態から着信（ｉｎｃｏｍｉｎｇ）呼リクエスト状態に変更されたという情報を含む第２状態変更情報を生成する。この場合、第２状態変更情報は、第２通話アプリケーションの名前又はＩＤ、着信呼リクエスト状態を示す情報、映像呼がリクエストされたという情報、発信者Ｂの名前や、発信者Ｂの電話番号又は端末番号などを更に含む。
【００３５】
呼管理部１３７は、第２通話アプリケーション１３３から第２状態変更情報を受信して第１通話アプリケーション１３１を含む１つ以上の通話アプリケーションに第２状態変更情報を伝達する。この時、呼管理部１３７は、受信した第２状態変更情報を特定の通話アプリケーションのみに、この場合は呼管理に求められる第１通話アプリケーション１３１のみに伝達するか、又は受信した第２状態変更情報を登録された全ての（第１〜第Ｎ）通話アプリケーションに伝達する。
【００３６】
また、呼管理部１３７が第２状態変更情報を伝達する時に第１通話アプリケーション１３１が表示非活性化状態である場合、呼管理部１３７は第１通話アプリケーション１３１を表示活性化状態に切替える。
【００３７】
呼管理部１３７は、第２状態変更情報を登録された通話アプリケーションに伝達すると共に、表示部１７０にも伝達する。
【００３８】
図１に示すように、表示部１７０は、制御部１３０により生成された第１及び第２状態変更情報に基づいて案内情報を表示する。案内情報は、ユーザが望む呼を選択するために、接続リクエスト、接続状態にある呼、又は関連するアプリケーションに関して通常は表示部を介して通知する特定情報を意味する。より具体的に、案内情報は、第１及び第２状態変更情報に含まれる情報を用いて生成され、付加的な内容に伴う選択情報の入力を求める付加的な内容を更に含む。
【００３９】
なお、案内情報は、第１及び第２状態変更情報の一部又は全部を含み、表示される内容はユーザの設定又は選択により変更可能である。例えば、スカイプ（Ｓｋｙｐｅ（登録商標））を通じて通話中に、バイバー（ｖｉｂｅｒ）から新たな通話が受信された場合、案内情報は、現在実行中の通話アプリケーション及び新たな呼の接続がリクエストされる通話アプリケーションの識別情報（即ち、スカイプとバイバー）を含み、更に相手端末装置の番号、及び呼が音声呼なのか又は映像呼なのかに関する呼タイプ情報が含まれる。
【００４０】
また、第１及び第２状態変更情報以外にも、表示部１７０は、「電話を受信しますか？−はい／いいえ」、「受信／拒否」、又は「通話中待機／受信／拒否」のような選択情報の入力を求める特定情報を表示する。制御部１３０が特定のジェスチャーや音声を選択情報として認識する場合には、関連する説明が案内情報に含まれる。
【００４１】
表示部１７０は、ディスプレー、スピーカー、振動発生装置、及びＬＥＤなどを含み、ユーザに特定情報を表示することが可能な他のあらゆるモジュールが表示部１７０として用いられる。即ち、案内情報は、画面上のテキスト又はグラフィックユーザーインターフェースの形態で表示されるか、スピーカーを通じた音声手段で出力されるか、又はアクチュエーターのような振動発生装置を通じて出力される。
【００４２】
本発明の一実施形態において、表示部１７０がスピーカーを含む場合、特定情報に対応する信号音はユーザにより予め設定される。表示部１７０は予め設定された信号音を通話中に出力することで他の呼の状態が変更されたという情報をユーザに通知する。また、表示部１７０はテキスト形式の案内情報を音声に変換して音声で出力する。
【００４３】
他の実施形態として、表示部１７０が振動発生装置を含む場合、表示部１７０は呼の状態又は呼の種類に応じて振動の強度又は周期を変える。
【００４４】
更に他の実施形態で、表示部１７０がＬＥＤを含む場合、表示部１７０は案内情報に応じて光の明るさを変更するか又は発光周期を変更することで情報を表示する。
【００４５】
表示部１７０が案内情報を表示する方法は、上述の実施形態に限定されず他の適切な方法又は上記実施形態の組合せによっても可能である。
【００４６】
再び図１を参照すると、入力部１５０は、ユーザが表示部１７０に表示された案内情報を参照して入力した選択情報を受信する。選択情報は、第１通話アプリケーションを通じて接続される呼及び第２通話アプリケーションを通じてリクエストされる呼の中から特定の呼が接続される情報を示す。
【００４７】
ここで、選択情報は、第２通話アプリケーションを通じてリクエストされる呼、即ち新たな呼に対する受諾又は拒絶情報である。また、選択情報は、予め設定された呼を終了するのか又は新たな呼が完了するまで保留するのかに関する情報を更に含む。
【００４８】
入力部１５０は、ボタン、タッチパッドの仮想ボタン、或いは代替又は追加的なキーボードである。入力部１５０は、加速度センサー又はジャイロスコープセンサーのようなセンサーを用いてユーザの動き（アクション又はジェスチャー）を選択情報として認識する。代替又は追加的に、入力部１５０はマイクを含む。マイクを用いて選択情報の入力を受信する場合、音声で入力された選択情報を分析して分析結果を制御部１３０に伝達する処理装置を含むか、又はこの処理のために制御部で音声解析が行われる特定のモジュールを更に含む。
【００４９】
入力部１５０で用いられるモジュールは上述の実施形態に限定されず、選択情報の入力は上述の実施形態の組合せによっても具現可能である。
【００５０】
入力部１５０を通じて受信された選択情報は制御部１３０に伝達される。制御部１３０は、選択情報を用いて第１通話アプリケーション１３１を通じて接続された呼（以下、「予め設定された呼」という）及び第２通話アプリケーション１３３を通じてリクエストされる呼（以下、「新たな呼」又は「次の呼」という）の接続を制御する。選択情報は、新たな呼を受諾するのか又は拒絶するのか、及び予め設定された呼を終了するのか又は保留するのかを要求する情報を意味する。
【００５１】
制御部１３０は、選択情報に応じて、予め設定された呼及び新たな呼の接続を制御する。選択情報が新たな呼に対する拒絶情報の場合、制御部１３０は新たな呼を終了して予め設定された呼の接続を維持する。一方、選択情報が新たな呼に対する受諾情報の場合、制御部１３０は新たな呼を接続して予め設定された呼を保留するか又は終了する。
【００５２】
本実施形態で、制御部１３０に含まれる呼管理部１３７が、上述の機能を行う。即ち、呼管理部１３７は、選択情報を用いて呼制御コマンドを生成して呼制御コマンドを第１及び第２通話アプリケーションを含む２以上の通話アプリケーションに伝達する。呼制御コマンドは、各通話アプリケーションの動作を制御するコマンド、例えば通話アプリケーションの活性化又は呼接続状態の変更を制御するコマンドを意味する。即ち、選択情報が新たな呼を受諾して予め設定された呼を保留することを示す場合、呼管理部１３７は、第１通話アプリケーションに、呼接続（ｃｏｍｍｕｎｉｃａｔｉｎｇ）状態を呼保留（ｈｏｌｄｉｎｇ）状態に変更する呼制御コマンドを送信する。そして、第２通話アプリケーションに、着信（ｉｎｃｏｍｉｎｇ）呼リクエスト状態を呼接続（ｃｏｍｍｕｎｉｃａｔｉｎｇ）状態に変更する呼制御コマンドを送信する。もし、選択情報が、新たな呼を拒絶して予め設定された呼を維持することを示す場合、呼管理部１３７は、第２通話アプリケーションに、着信（ｉｎｃｏｍｉｎｇ）呼リクエスト状態を待機（ｉｄｌｅ）状態に変更する呼制御コマンドを送信する。
【００５３】
他の実施形態で、制御部１３０に含まれる第１通話アプリケーション１３１又は第２アプリケーション１３３は、予め設定された呼の接続及び新たな呼の接続を制御する。この場合、呼管理部１３７は、各通話アプリケーションで生成された状態変更情報、呼制御に求められる選択情報、案内情報等を各モジュールに伝達する機能を行う。そして、呼を終了、接続を維持、及び呼を保留する等の呼制御は、第１及び第２通話アプリケーションによって行われる。
【００５４】
より具体的に、選択情報が入力部１５０によって受信されると、第１通話アプリケーションは、選択情報を受信し、選択情報に基づいて、予め設定された呼の接続を制御する。また、第１通話アプリケーション１３１は、制御結果を反映して第１状態変更情報を更新し、更新された第１状態変更情報を呼管理部１３７に伝達する。そして、呼管理部１３７は、更新された第１状態変更情報を、第２通話アプリケーション１３３を含む１つ以上の通話アプリケーションに伝達する。更新された第１状態変更情報を受信した第２通話アプリケーション１３３は、更新された第１状態変更情報を参照することで、第２通話アプリケーション１３３を通じて接続された新たな呼を制御する。
【００５５】
例えば、受信した選択情報が新たな呼に対する拒絶情報を含む場合、第１通話アプリケーション１３１は、受信した選択情報に従って第１通話アプリケーション１３１を通じて予め設定された呼の接続を維持する。そして、第１通話アプリケーション１３１は、制御結果を反映して更新された第１状態変更情報を呼管理部１３７に伝達する。呼管理部１３７は第２通話アプリケーション１３１を含む１つ以上の通話アプリケーションに更新された第１状態変更情報を伝達し、第２通話アプリケーション１３３は更新された第１状態変更情報を参照して新たな呼を終了する。なお、当該技術分野の通常の知識を有する者であれば、発信者が終了の代わりにメッセージを残すように、例えば、第２の呼がボイスメールに伝送されることを認識すべきである。
【００５６】
上記実施形態では、第１通話アプリケーションが、選択情報に従って更新された第１状態変更情報を呼管理部１３７に伝達したが、最初に呼を制御して更新される状態変更情報を生成するモジュールは、予め設定された呼の通話アプリケーションのみに限定されるものではない。
【００５７】
上述した呼接続時におけるデータの送受信は、通信部１９０を通じて行われる。通信部１９０は、回線交換方式を通じて通信網に通信チャンネルを接続する回線通信部、及びパケット交換方式を通じて通信網にデータ送受信チャンネルを接続するパケット通信部を含む（図示せず）。呼接続に用いられる通信網としては、ＶｏＩＰ（Ｖｏｉｃｅ  ｏｖｅｒ  Ｉｎｔｅｒｎｅｔ  Ｐｒｏｔｏｃｏｌ）、ＭｏＩＰ（Ｍｅｄｉａ  ｏｖｅｒ  Ｉｎｔｅｒｎｅｔ  Ｐｒｏｔｏｃｏｌ）をサポートするＷｉｂｒｏ（登録商標）、ＷＣＤＭＡ（登録商標）、ＧＳＭ（登録商標）、ＵＭＴＳ、ＬＴＥ（登録商標）のような３Ｇ、４Ｇの移動通信網が含まれ、Ｗｉ−Ｆｉ（登録商標）等のような無線ＬＡＮに基づくＩＰ網などの他のあらゆる有線無線網も含まれる。なお、本発明は本実施形態で管理される呼が用いる通信網によって制限されるものではなく、従って通信網の種類は上述の実施形態に限定されない。
【００５８】
以下、図３〜図５を参照しながら、本発明の一実施形態による呼管理方法を説明する。
【００５９】
図３は、本発明の一実施形態による呼管理方法を説明するためのフローチャートである。
【００６０】
図３を参照すると、第１通話アプリケーションを通じて呼接続がリクエストされると、３１０段階で制御部１３０は第１状態変更情報を生成し、第１通話アプリケーションを通じて接続された呼（以下、「予め設定された呼」とする）を維持する。この時、呼接続リクエストは着信呼又は発信呼である。第１通話アプリケーションを通じて予め設定された呼が接続された状態で、第２通話アプリケーションを通じて新たな呼接続がリクエストされると（３２０段階）、制御部１３０は、第２通話アプリケーションの第２状態変更情報を生成する（３３０段階）。ここで、新たな呼の接続のリクエストは着信又は発信呼に対するリクエストを含む。また、第１及び第２状態変更情報は、呼を接続するための通話アプリケーションの識別情報、通話アプリケーションの表示活性化状態情報、呼タイプ情報、呼状態情報、及び相手端末装置の識別情報の中の少なくとも１つを含む。また、第１通話アプリケーション及び第２通話アプリケーションのうちの少なくとも１つは、パケット交換（ＰＳ）呼をサービスする通話アプリケーションである。
【００６１】
次に、３４０段階で、表示部１７０は、第１及び第２状態変更情報を用いて生成された案内情報を表示し、３５０段階で、入力部１５０は状態変更情報に対する選択情報の入力を受信する。３５０段階で選択情報が入力されない場合、そのまま状態変更情報を表示する。そして、３６０〜３９５段階で、制御部１３０は、選択情報を用いて、端末装置と共に、予め設定された呼及び新たな呼の接続を制御する。
【００６２】
より具体的に、制御部１３０は、３６０段階で選択情報が新たな呼に対する受諾情報であるか否かを判断する。判断の結果、制御部１３０は、選択情報が新たな呼に対する受諾情報である場合、３７０段階で新たな呼を接続する。
【００６３】
しかし、３６０段階で選択情報が新たな呼に対する拒絶情報の場合には、制御部１３０は、３６５段階で、新たな呼を終了し、予め設定された呼を維持する３１０段階に戻る。３７０段階で新たな呼が接続された場合、制御部１３０は、３８０段階で選択情報が予め設定された呼を保留することを示す内容を含むか否かを判断する。３８０段階における判断の結果、選択情報が予め設定された呼を保留することを示す内容を含む場合、制御部１３０は、３９０段階で予め設定された呼を保留する。３８０段階における判断の結果、選択情報が予め設定された呼を終了することを示す内容を含む場合、制御部１３０は、３９５段階で予め設定された呼を終了する。
【００６４】
図４及び図５は、本発明の実施形態による呼管理方法をより詳しく説明するためのフローチャートである。
【００６５】
図４を参照すると、第１通話アプリケーション１３１を通じて呼接続がリクエストされると、第１通話アプリケーション１３１は第１状態変更情報を生成して呼管理部１３７に伝達し、予め設定された呼の接続を維持する（４１０段階）。第１通話アプリケーション１３１は、予め設定された呼の状態が変更される毎に、更新された第１状態変更情報を生成して呼管理部１３７に伝達し、呼管理部１３７は、更新された第１状態変更情報を登録された通話アプリケーションに伝達する（図示せず）。予め設定された呼が接続された状態で、第２通話アプリケーション１３３を通じて発信又は受信が行われる（４１５段階）と、第２通話アプリケーション１３３は第２状態変更情報を生成する（４２０段階）。呼管理部１３７は、第２通話アプリケーション１３３から第２状態変更情報を受信して（４３０段階）、第２状態変更情報を第１通話アプリケーション１３１に伝達する（４４０段階）。図示しないが、２以上の通話アプリケーションが用いられる場合、呼管理部１３７は、例えば図２に示した第Ｎ通信アプリケーションのように、受信した第２状態変更情報を登録された他の通話アプリケーションに伝達する。
【００６６】
次に、呼管理部１３７は、第１及び第２状態変更情報を用いて生成された案内情報を表示部１７０に伝達し（４４５段階）、表示部１７０は案内情報を表示する（４５０段階）。案内情報は、ディスプレー画面、スピーカー、振動発生装置、ＬＥＤなどを通じて出力され、特定の表示方式に限定されない。案内情報に基づき、入力部１５０は選択情報の入力を受信する（４６０段階）。この時、選択情報は、案内情報に応じて、ソフトボタン、音声、アクション、又はジェスチャー（ｇｅｓｔｕｒｅ）を用いて入力される。入力された選択情報は呼管理部１３７に伝達され（４６５段階）、呼管理部１３７は選択情報に基づき呼制御コマンドを生成する（４７０段階）。そして、呼管理部１３７は、呼制御コマンドを第１及び第２通話アプリケーションに伝達（４８０段階）する。他の実施形態として、呼管理部１３７は、第１及び第２通話アプリケーションを含む２以上の他の通話アプリケーションに呼制御コマンドを伝達することによって、呼変更状態を通知する。
【００６７】
選択情報が第２通話アプリケーション１３３を通じて受信又は発信された呼の受諾を示す場合、呼管理部１３７は、第２通話アプリケーション１３３に、着信呼リクエスト状態を呼接続状態に変更する呼制御コマンドを伝達する（図示せず）。同時に、呼管理部１３７は、予め設定された呼を保留又は終了する呼制御コマンドを第１通話アプリケーション１３１に伝達する。選択情報が第２通話アプリケーション１３３を通じて受信又は発信された呼の拒絶を示す場合、呼管理部１３７は、第１通話アプリケーション１３１に、予め設定された呼を維持する呼制御コマンドを伝達し、第２通話アプリケーション１３３に、着信呼リクエスト状態を待機状態に変更する呼制御コマンドを伝達する。第２の呼は、ボイスメール（又は予め設定された他の電話番号）に転送され、表示部は予め接続された呼が維持される間、変更された状態を表示する。
【００６８】
図５は、本発明の他の実施形態による呼制御方法を示したフローチャートである。
図５を参照すると、第１通話アプリケーション１３１を通じて呼接続がリクエストされると、第１通話アプリケーション１３１は第１状態変更情報を生成して呼管理部１３７に伝達し、予め設定された呼の接続を維持する（５１０段階）。第１通話アプリケーション１３１は、予め設定された呼の状態が変更される毎に、更新された第１状態変更情報を生成して呼管理部１３７に伝達し、呼管理部１３７は、更新された第１状態変更情報を登録された通話アプリケーションに伝達する（図示せず）。第１通話アプリケーション１３１を通じて予め設定された呼が接続された状態で、第２通話アプリケーション１３３を通じて発信又は受信が行われると（５１５段階）、第２通話アプリケーション１３３は第２状態変更情報を生成する（５２０段階）。呼管理部１３７は、第２通話アプリケーション１３３から第２状態変更情報を受信して（５３０段階）、第２状態変更情報を第１通話アプリケーション１３１に伝達する（５４０段階）。２以上の通話アプリケーションが用いられる場合、呼管理部１３７は、受信した第２状態変更情報を登録された他の通話アプリケーションに伝達する（図示せず）。
【００６９】
予め設定された呼を維持する第１通話アプリケーション１３１が呼管理部１３７から第２状態変更情報を受信する時に表示非活性化状態にある場合（５５０段階）、第１通話アプリケーション１３１は表示非活性化状態から表示活性化状態に切替えられる（５５５段階）。
【００７０】
第１通話アプリケーション１３１は、状態変更情報を受信すると、表示活性化状態に切替えられるように設定されるか、又は他の実施形態として呼管理部１３７が第１通話アプリケーション１３１の状態を切替えるための切替えコマンドを状態変更情報に含めて伝達する。表示活性化状態に切替えられた第１通話アプリケーション１３１は、自身が生成した第１状態変更情報及び呼管理部１３７から受信した第２状態変更情報の両方を用いて案内情報を生成し、生成された案内情報を表示部１７０に伝達する（５６０段階）。
【００７１】
表示部１７０は案内情報を表示する（５６５段階）。案内情報は、ディスプレー画面、スピーカー、振動発生装置、ＬＥＤなどを通じて、テキスト、イメージ、音声、振動、又は光などの形態で出力され、特定の表示方式に限定されない。表示された案内情報に基づき、入力部１５０は選択情報の入力を受信する（５７０段階）。この時、選択情報は、ソフトボタン、音声、アクション、又はジェスチャー（ｇｅｓｔｕｒｅ）を用いて入力され、特定の入力方式に制限されない。入力された選択情報は、第１通話アプリケーション１３１に伝達される（５８０段階）。第１通話アプリケーション１３１は、選択情報を用いて呼を制御し（５８５段階）、制御結果に基づいて第１状態変更情報を更新する。
【００７２】
次に、第１通話アプリケーション１３１は、呼管理部１３７に更新された第１状態変更情報を伝達する（５９０段階）。例えば、選択情報が、第２通話アプリケーションを通じて新しくリクエストされた呼の受諾を示し、また第１通話アプリケーションを通じて維持される予め設定された呼の終了を示す場合、第１通話アプリケーションは、呼を終了し、呼の終了を反映して変更された呼状態情報を更新し、更新された第１状態変更情報を呼管理部１３７に伝達する。更新された第１状態変更情報を受信した呼管理部１３７は、第２通話アプリケーションを含む１つ以上の通話アプリケーションに更新された第１状態変更情報を伝達する（５９５段階）。
【００７３】
第２通話アプリケーション１３３は、更新された第１状態変更情報によって、新たな呼の接続を制御する。上述したように、更新された第１状態変更情報は、第１通話アプリケーションの呼状態情報だけではなく、選択情報の内容を含むため、第２通話アプリケーションは、新たな呼に対する受諾情報を参照して新たな呼を接続する。
【００７４】
上述したように、通話アプリケーションの状態が変更されると、各アプリケーションは状態変更情報を生成して呼管理部１３７に伝達するので、呼管理部１３７は、登録された通話アプリケーションを一括的に管理及び共有することが可能になる。また、呼管理部１３７は状態変更情報を各通話アプリケーションに伝達するので、異なる通話アプリケーションを通じて接続される呼の間に衝突が起きない。
【００７５】
本発明によると、端末装置は、通話アプリケーションの種類に関係なく受信又は発信呼の統合的管理を可能にし、ユーザが望むシナリオによる呼制御を可能にする。
【００７６】
図６は、本発明の一実施形態による端末制御装置を説明するためのブロック図である。  
【００７７】
図６参照すると、本発明の一実施形態による端末装置６００は、入力部６３０及び制御部６５０を含む。
【００７８】
入力部６３０は、端末装置又は周辺装置を制御するための制御信号の入力を受信する。端末装置を制御するための制御信号は、端末制御装置７００を通じて入力され、端末制御装置７００は、ボリューム調整ボタン、端末装置に組み込まれたマルチメディア再生モジュールのための再生ボタン、カメラ制御ボタン、音声制御信号の入力を受信するためのスピーカー、ユーザとの距離をセンシングするための近接センサーなどを含む。端末装置に付随する周辺装置を制御するための制御信号は、周辺装置８００を通じて入力され、周辺装置８００は、ブルートゥース（登録商標）装置、イヤホン、端末装置から分離された別途のボリューム調整装置などを含む。
【００７９】
制御部６５０は、呼状態が変更されると状態変更情報を生成し、状態変更情報を用いて制御信号を通話モード信号に変換し、制御信号又は通話モード信号を用いて端末装置又は周辺装置を制御する。ここで、状態変更情報は、通話アプリケーションの識別情報、通話アプリケーションの表示活性化状態情報、呼タイプ情報、呼状態情報、及び相手端末装置の識別情報のうちの少なくとも１つを含む。
【００８０】
本発明の一実施形態によると、端末装置の状態が、待機（ｉｄｌｅ）状態から、着信（ｉｎｃｏｍｉｎｇ）呼リクエスト状態、発信（ｏｕｔｇｏｉｎｇ）呼リクエスト状態、呼接続（ｃｏｍｍｕｎｉｃａｔｉｎｇ）状態、及び呼保留（ｈｏｌｄｉｎｇ）状態のうちの少なくとも１つの状態に変更される場合、制御部６５０は状態変更情報を生成し、状態変更情報を用いて端末制御装置７００又は周辺装置８００を通じて入力された制御信号を通話モード信号に変換する。通話モード信号は、通話中に用いられる信号を意味し、例えば呼の受諾／終了信号、又は通話受信音量アップ／ダウン信号である。
【００８１】
具体的に、制御部６５０は、端末制御装置７００又は周辺装置８００を通じて入力されるクリック（ｃｌｉｃｋ）、ダブルクリック（ｄｏｕｂｌｅ  ｃｌｉｃｋ）、長押し（ｌｏｎｇ  ｐｒｅｓｓ）、再生（ｐｌａｙ）、一時停止（ｐａｕｓｅ）、音量（ｖｏｌｕｍｅ）アップ／ダウンのような制御信号を受信し、受信した制御信号を通話に必要な呼受諾／終了信号、通話受信音量（ｖｏｌｕｍｅ）アップ／ダウン信号などの通話モード信号に変換する。
【００８２】
また、制御部６５０は、通話モード信号を何の動作も起きない空信号（例えば、変更のために用いられるデータが全くない信号）に設定する。例えば、制御信号の１つである再生（ｐｌａｙ）信号に対応する通話モード信号を空信号に設定すると、通話中にユーザが再生ボタンを入力しても端末装置又は周辺装置は何の動作も起さない。他の例で、ユーザが端末装置に近接したと近接センサーが判断すると同時に通話が実行中の時に、制御部６５０は画面上のソフトキーを通じて入力される全ての信号を空信号に設定する。即ち、画面上に入力される信号のみでは何の動作も起きない。
【００８３】
端末装置の状態が着信呼リクエスト状態、発信呼リクエスト状態、呼接続状態、及び呼保留状態のうちの１つから通話待機状態に変更されると、制御部６５０は、入力された制御信号をそのまま端末制御装置７００及び周辺装置８００に伝達する。従って、通話待機状態で、端末装置及び周辺装置は元来の制御信号に従って動作する。
【００８４】
図７は、本発明の一実施形態による端末装置に含まれる制御部をより詳しく説明するためのブロック図である。図７を参照すると、制御部６５０は、１つ以上の通話アプリケーション（６５３、６５５）、呼管理部６５７、及び変換制御部６５９を含む。
【００８５】
通話アプリケーション（６５３、６５５）は、呼状態が変更されると、状態変更情報を生成する。状態変更情報の詳細は、図１で上述した通りである。
【００８６】
呼管理部６５７は、通話アプリケーションから受信した状態変更情報を分析する。呼管理部６５７は、状態変更情報に含まれる情報から端末装置及び周辺装置を制御するために要求される特定情報を抽出する。例えば、端末装置及び周辺装置の制御のために呼状態情報のみが用いられる場合、制御部６５０は状態変更情報から呼状態情報のみを抽出する。
【００８７】
呼管理部６５７による分析結果として端末装置が通話実行状態である場合、変換制御部６５９は、制御信号を通話モード信号に変換し、通話モード信号に基づいて端末装置及び周辺装置を制御する。ここで、通話実行状態は、呼接続（ｃｏｍｍｕｎｉｃａｔｉｎｇ）状態のみならず、着信（ｉｎｃｏｍｉｎｇ）呼リクエスト状態、発信（ｏｕｔｇｏｉｎｇ）呼リクエスト状態、及び呼保留（ｈｏｌｄｉｎｇ）状態を含む。
【００８８】
呼管理部６５７による分析結果として端末装置が通話待機状態である場合、変換制御部６５９は、制御信号を用いて端末装置及び周辺装置を制御する。
【００８９】
即ち、端末制御装置７００又は周辺装置８００を通じて入力されたあらゆる信号は、制御部６５０を通じて変換されて、端末装置又は周辺装置を制御するために用いられる。
【００９０】
上述した各モジュールは、説明の便宜のためにそれぞれ分離されているが、実際に具現する場合には一部又は一体に統合される。
【００９１】
図８は、本発明の一実施形態による端末制御方法を説明するためのフローチャートである。
【００９２】
図８を参照すると、制御部６５０は、８１０段階で制御信号の入力を受信する。８２０段階で呼状態が変更されると、制御部６５０は、８３０段階で状態変更情報を生成する。その後、制御部６５０は、８４０段階で状態変更情報に基づいて端末装置が通話実行状態にあるか否かを判断する。８１０段階で制御信号が入力されたにも拘らず８２０段階で呼状態に変更がない場合、制御部６５０は、前に生成された状態変更情報に基づいて８４０段階に進行する。
【００９３】
８４０段階で制御部６５０による状態変更情報の分析結果として端末装置が通話実行状態（即ち、呼接続状態、着信若しくは発信呼リクエスト状態、又は呼保留状態）にある場合、制御部６５０は、８５０段階で制御信号を通話モード信号に変換する。
【００９４】
そして、制御部６５０は、８６０段階で通話モード信号を端末制御装置又は周辺装置に伝達する。分析結果として端末装置が待機状態にある場合、制御部６５０は、８７０段階で、入力された制御信号をそのまま（即ち、変換せずに）端末制御装置又は周辺装置に伝達する。
【００９５】
上述したように、本発明によれば、端末装置の呼接続状態に従って端末制御装置が制御信号の処理を実行するため、端末装置は呼状態に応じて適切に作動することができる。
【００９６】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００９７】
１００、６００    端末装置
１３０、６５０    制御部
１３１、１３３、１３５    （第１、第２、第Ｎ）通話アプリケーション
１３７、６５７    呼管理部
１５０、６３０    入力部
１７０    表示部
１９０    通信部
６５３、６５５    （第１、第Ｎ）通話アプリケーション
６５７    呼管理部
６５９    変換制御部
７００    端末制御装置
８００    周辺装置
【図１】
2015517268.tif 000003
【図２】
2015517268.tif 000004
【図３】
2015517268.tif 000005
【図４】
2015517268.tif 000006
【図５】
2015517268.tif 000007
【図６】
2015517268.tif 000008
【図７】
2015517268.tif 000009
【図８】
2015517268.tif 000010
【国際調査報告】
2015517268.tif 000011
2015517268.tif 000012